(57)【要約】【課題】  フィルム寸法や被着面湾曲度に関わらず、貼付作業中の被着体の移動を防止しつつ、粘着フィルムを被着体表面に容易かつ正確に貼付できるようにする。【解決手段】  フィルム貼付装置１０は、基部３２と、基部上に移動可能に設けられ、被着体の内面を支持する第１支持部３４と、第１支持部から独立して基部上に移動可能に設けられ、被着体の長手方向両端を支持する第２支持部３６と、第１及び第２支持部から独立して基部上に移動可能に設けられ、第１及び第２支持部に支持された被着体の外面に対して粘着フィルムを所定位置に保持する位置決め部３８とを備える。第１支持部は、被着体内面の長手方向複数箇所に個別に当接される一対の支柱４８を備える。第２支持部は、被着体の長手方向両端をそれぞれに支持する一対の支持板６０を備える。位置決め部３８は、粘着フィルムに設けた一対の位置決め穴にそれぞれ嵌入される一対の位置決めピン７２を備える。【選択図】      図１
2006282712.tif 000002
【特許請求の範囲】
【請求項１】
内面と外面と長手方向両端とを有する被着体の該外面に、フィルム基材の少なくとも一方の表面に粘着剤層を設けた粘着フィルムを貼付するためのフィルム貼付装置において、
基部と、
前記基部上に移動可能に設けられ、前記被着体の前記内面を支持する第１支持部と、
前記第１支持部から独立して前記基部上に移動可能に設けられ、前記被着体の前記長手方向両端を支持する第２支持部と、
前記第１支持部及び前記第２支持部から独立して前記基部上に移動可能に設けられ、該第１支持部及び該第２支持部に支持された前記被着体の前記外面に対して、前記粘着フィルムを予め定めた位置に保持する位置決め部と、
を具備することを特徴とするフィルム貼付装置。
【請求項２】
前記被着体の前記内面が、該被着体の長手方向断面において内向きに曲がった形状を有し、前記第１支持部は、該被着体の該内面の長手方向複数箇所に個別に当接される複数の支柱を具備する、請求項１に記載のフィルム貼付装置。
【請求項３】
前記複数の支柱が前記基部上で、前記被着体の長手方向に対応する方向へ相対的に移動可能である、請求項２に記載のフィルム貼付装置。
【請求項４】
前記被着体の前記内面が、該被着体の横断方向断面において内向きに曲がった形状を有し、前記第１支持部は、該被着体の該内面の横断方向複数箇所に当接される複数の当接面を有する支柱を具備する、請求項１〜３のいずれか１項に記載のフィルム貼付装置。
【請求項５】
前記複数の当接面が前記支柱上で、前記被着体の横断方向に対応する方向へ相対的に移動可能である、請求項４に記載のフィルム貼付装置。
【請求項６】
前記被着体の前記長手方向両端が、前記外面に交差する縁面をそれぞれに有し、前記第２支持部は、該被着体の該長手方向両端の該縁面に個々に当接される載置面と、該載置面に交差して延び、該被着体の該長手方向両端の該縁面に隣接する該外面の一部分に個々に当接される抑止面とをそれぞれに備える一対の支持板を具備する、請求項１〜５のいずれか１項に記載のフィルム貼付装置。
【請求項７】
前記一対の支持板が前記基部上で、前記被着体の長手方向に対応する方向へ相対的に移動可能である、請求項６に記載のフィルム貼付装置。
【請求項８】
前記粘着フィルムに、位置決め穴を有する補助部分が設けられ、前記位置決め部は、該補助部分の該位置決め穴に嵌入される位置決めピンを具備する、請求項１〜７のいずれか１項に記載のフィルム貼付装置。
【請求項９】
前記粘着フィルムは、前記被着体の前記長手方向両端の間に配置可能な長尺形状を有するとともに、該粘着フィルムの横断方向へ互いに離隔した位置に一対の前記補助部分が設けられ、前記位置決め部は、前記基部上で前記被着体の横断方向へ相対的に移動可能な一対の前記位置決めピンを具備する、請求項８に記載のフィルム貼付装置。
【発明の詳細な説明】
【技術分野】
【０００１】
本発明は、フィルム貼付装置に関する。
【背景技術】
【０００２】
フィルム基材の少なくとも一方の表面に粘着剤層を設けてなる粘着フィルムを、被着体の表面に保護や装飾等の目的で貼付する際には、粘着フィルムを被着体に対して所定位置に正確に位置決めした状態で、粘着剤層と被着体表面との間から空気を確実に排除しながら、かつフィルム基材に皺が生じないように、慎重に貼付することが要求される。このような粘着フィルム貼付作業は、粘着フィルムの寸法や被着体表面の湾曲程度が大きくなるほど、手作業で正確に実施することが困難になる傾向がある。そこで、例えば特許文献１に開示されるように、被着体の湾曲表面にも粘着フィルムを容易かつ正確に貼付できるようにするための治具（又はフィルム貼付装置）が、種々提案されている。
【０００３】
特許文献１に記載される治具は、それ自体、被着体に取り付けた状態で使用されるものであり、粘着フィルムの貼付開始端の近傍部分を被着体に対して固定的に位置決め支持する位置決め部材と、粘着フィルムの貼付終了端の近傍部分を被着体に対して所定案内範囲内で移動可能に案内支持する案内部材との、双方を使用するように構成される。位置決め部材及び案内部材には、いずれも所望数のピンが立設される。粘着フィルムには、貼付開始端の近傍部分に、位置決め部材のピンが密に嵌入される位置決め穴が形成され、貼付終了端の近傍部分に、案内部材のピンが所定方向へ摺動可能に受容される案内穴が形成される。貼付作業に際しては、被着体上のフィルム貼付開始端側の所定位置及びフィルム貼付終了端側の所定位置に、位置決め部材及び案内部材をそれぞれ取り付けて、粘着フィルムの位置決め穴に位置決め部材のピンを嵌入するとともに、粘着フィルムの案内穴に案内部材のピンを挿入する。その状態で、粘着フィルムは、被着体に対して所定位置に実質的に位置決めした状態に保持されるので、粘着フィルムの貼付開始端から貼付終了端へ向けて、スキージ等の手工具を用いて漸進的に、粘着フィルムを被着体表面に正確に貼付することができる。
【０００４】
【特許文献１】特開２０００−１６０１１５号公報
【発明の開示】
【発明が解決しようとする課題】
【０００５】
前述した特許文献１に記載される粘着フィルム貼付用の治具は、それ自体、被着体に取り付けて使用するものであるから、貼付作業に際しては、治具以外の手段により被着体を予め所定位置に固定的に支持する必要が有る。したがってこの治具は、例えば自動車の車体のセンターピラーのような、貼付作業中の移動を考慮する必要の無い構造体の一部分に粘着フィルムを貼付するために、好適に使用される。その反面、例えばオートバイのフロントフェンダー等の、フィルム貼付時に一般に単体で取り扱われる部品に対しては、上記したような部品支持用の別の手段を用意する必要が有り、貼付作業が煩雑になるとともに作業コストが上昇することが懸念される。
【０００６】
本発明の目的は、粘着フィルムを被着体の表面に貼付するためのフィルム貼付装置において、粘着フィルムの寸法や被着体表面の湾曲程度が大きい場合であっても、熟練を要することなく、粘着フィルムを被着体表面に正確に貼付でき、しかも、貼付作業中の被着体の移動を積極的に（つまりフィルム貼付装置自体の機能により）防止できるフィルム貼付装置を提供することにある。
【課題を解決するための手段】
【０００７】
上記目的を達成するために、請求項１に記載の発明は、内面と外面と長手方向両端とを有する被着体の外面に、フィルム基材の少なくとも一方の表面に粘着剤層を設けた粘着フィルムを貼付するためのフィルム貼付装置において、基部と、基部上に移動可能に設けられ、被着体の内面を支持する第１支持部と、第１支持部から独立して基部上に移動可能に設けられ、被着体の長手方向両端を支持する第２支持部と、第１支持部及び第２支持部から独立して基部上に移動可能に設けられ、第１支持部及び第２支持部に支持された被着体の外面に対して、粘着フィルムを予め定めた位置に保持する位置決め部と、を具備することを特徴とするフィルム貼付装置を提供する。
【０００８】
請求項２に記載の発明は、請求項１に記載のフィルム貼付装置において、被着体の内面が、被着体の長手方向断面において内向きに曲がった形状を有し、第１支持部は、被着体の内面の長手方向複数箇所に個別に当接される複数の支柱を具備するフィルム貼付装置を提供する。
【０００９】
請求項３に記載の発明は、請求項２に記載のフィルム貼付装置において、複数の支柱が基部上で、被着体の長手方向に対応する方向へ相対的に移動可能であるフィルム貼付装置を提供する。
【００１０】
請求項４に記載の発明は、請求項１〜３のいずれか１項に記載のフィルム貼付装置において、被着体の内面が、被着体の横断方向断面において内向きに曲がった形状を有し、第１支持部は、被着体の内面の横断方向複数箇所に当接される複数の当接面を有する支柱を具備するフィルム貼付装置を提供する。
【００１１】
請求項５に記載の発明は、請求項４に記載のフィルム貼付装置において、複数の当接面が支柱上で、被着体の横断方向に対応する方向へ相対的に移動可能であるフィルム貼付装置を提供する。
【００１２】
請求項６に記載の発明は、請求項１〜５のいずれか１項に記載のフィルム貼付装置において、被着体の長手方向両端が、外面に交差する縁面をそれぞれに有し、第２支持部は、被着体の長手方向両端の縁面に個々に当接される載置面と、載置面に交差して延び、被着体の長手方向両端の縁面に隣接する外面の一部分に個々に当接される抑止面とをそれぞれに備える一対の支持板を具備するフィルム貼付装置を提供する。
【００１３】
請求項７に記載の発明は、請求項６に記載のフィルム貼付装置において、一対の支持板が基部上で、被着体の長手方向に対応する方向へ相対的に移動可能であるフィルム貼付装置を提供する。
【００１４】
請求項８に記載の発明は、請求項１〜７のいずれか１項に記載のフィルム貼付装置において、粘着フィルムに、位置決め穴を有する補助部分が設けられ、位置決め部は、補助部分の位置決め穴に嵌入される位置決めピンを具備するフィルム貼付装置を提供する。
【００１５】
請求項９に記載の発明は、請求項８に記載のフィルム貼付装置において、粘着フィルムは、被着体の長手方向両端の間に配置可能な長尺形状を有するとともに、粘着フィルムの横断方向へ互いに離隔した位置に一対の補助部分が設けられ、位置決め部は、基部上で被着体の横断方向へ相対的に移動可能な一対の位置決めピンを具備するフィルム貼付装置を提供する。
【発明の効果】
【００１６】
請求項１に記載の発明によれば、粘着フィルムの圧着貼付作業の間、被着体は、フィルム貼付装置の第１支持部及び第２支持部によって、基部上で安定して静止状態に支持される。他方、粘着フィルムは、フィルム貼付装置の位置決め部により、被着体に対して基部上で適正位置に保持されている。したがって粘着フィルムは、圧着貼付作業の間、位置ずれを生じることなく、被着体に正確に貼付される。この貼付作業は、粘着フィルムを手で保持する必要が無いので、適当な手工具を用いて容易かつ迅速に行うことができる。したがって、フィルム貼付装置によれば、粘着フィルムの寸法や被着体表面の湾曲程度が大きい場合であっても、貼付作業中の被着体の移動を、フィルム貼付装置自体の機能により積極的に防止した状態で、熟練を要することなく、粘着フィルムを被着体表面に正確に貼付することができる。また、第１支持部、第２支持部及び位置決め部を基部上で移動可能に構成したから、様々な寸法及び形状を有する被着体及び粘着テープに対し、同様に容易かつ正確な貼付作業を実施できる。
【００１７】
請求項２に記載の発明によれば、複数の支柱により被着体を一層安定的に支持できる。
【００１８】
請求項３に記載の発明によれば、特に長手方向へ様々な寸法を有する被着体を、いずれも安定的に支持できる。
【００１９】
請求項４に記載の発明によれば、支柱の複数の当接面により被着体を一層安定的に支持できる。
【００２０】
請求項５に記載の発明によれば、特に横断方向へ様々な寸法を有する被着体を、いずれも安定的に支持できる。
【００２１】
請求項６に記載の発明によれば、一対の支持板により被着体を一層安定的に支持できる。
【００２２】
請求項７に記載の発明によれば、特に長手方向へ様々な寸法を有する被着体を、いずれも安定的に支持できる。
【００２３】
請求項８に記載の発明によれば、位置決めピンにより粘着フィルムを容易かつ正確に位置決めできる。
【００２４】
請求項９に記載の発明によれば、特に横断方向へ様々な寸法を有する粘着フィルムを、いずれも正確に位置決めできる。
【発明を実施するための最良の形態】
【００２５】
以下、添付図面を参照して、本発明の実施の形態を詳細に説明する。全図面に渡り、対応する構成要素には共通の参照符号を付す。
図面を参照すると、図１は、本発明の一実施形態によるフィルム貼付装置１０の全体構成を示す。図２及び図３は、フィルム貼付装置１０を適用可能な被着体１２及び粘着フィルム１４をそれぞれ示す。
【００２６】
図２（ａ）に示すように、被着体１２は、内面１６と外面１８と長手方向両端２０とを有する半円環状の部材であり、それ自体、少なくとも自己形状を保持し得る剛性を有する。また被着体１２は、その内面１６が、被着体１２の長手方向断面（図２（ｂ））において内向きに曲がった形状を有するとともに、被着体１２の横断方向断面（図２（ｃ））において内向きに曲がった形状を有する。また、内面１６と外面１８とは、互いに表裏の関係にあって、実質的相似形状を有する。このような被着体の一例としては、オートバイのフロントフェンダーが挙げられる。
【００２７】
図３（ａ）に示すように、粘着フィルム１４は、被着体１２の外面１８の長手方向へ延びる中央領域１８ａ（図２）に貼付されるものであって、全体として略矩形の輪郭を有する。図３（ｂ）に断面で示すように、粘着フィルム１４は、装飾又は保護機能を有する略矩形輪郭のフィルム基材２２と、フィルム基材２２の一方の表面２２ａに略全体に渡って設けられる粘着剤層２４とを備える。さらに、粘着フィルム１４の取り扱いを容易にするために、粘着剤層２４の作用面２４ａには、その全体に渡って離型紙２６が被着され、またフィルム基材２２の他方の表面２２ｂには、その全体に渡って、図示しない低タック性の粘着層を介して台紙２８が被着される。離型紙２６及び台紙２８を被着した粘着フィルム１４を、本明細書では粘着フィルム組立体３０と称する。なお、適用によっては、フィルム基材２２の他方の表面２２ｂに、台紙２８の代わりに、粘着剤層２４及び離型紙２６と同様の粘着剤層及び離型紙を設けてなる両面粘着性を有する粘着フィルムに対しても、本発明に係るフィルム貼付装置を使用することができる。
【００２８】
本発明の一実施形態によるフィルム貼付装置１０は、図１に示すように、基部３２と、基部３２上に移動可能に設けられ、被着体１２の内面１６（図２）を支持する第１支持部３４と、第１支持部３４から独立して基部３２上に移動可能に設けられ、被着体１２の長手方向両端２０（図２）を支持する第２支持部３６と、第１支持部３４及び第２支持部３６から独立して基部３２上に移動可能に設けられ、第１支持部３４及び第２支持部３６に支持された被着体１２の外面１８（図２）に対して、粘着フィルム１４（図３）を予め定めた位置に保持する位置決め部３８とを備えて構成される。
【００２９】
基部３２は、平面視略矩形の平板状部材であり、第１支持部３４及び第２支持部３６を担持する主部分４０と、主部分４０の長手方向略中央で横断方向外方へ延設され、位置決め部３８を担持する一対の副部分４２とを備える。各副部分４２は、後述する可動式取付構造を介して、主部分４０に長手方向へ移動可能に取り付けられる。基部３２の主部分４０には、その上面４０ａ及び両側面４０ｂに、基部長手方向へ延びる所望数の溝４４が形成される。また、基部３２の副部分４２には、各々の上面４２ａ及び両側面４２ｂに、基部横断方向へ延びる所望数の溝４６が形成される。
【００３０】
第１支持部３４は、被着体１２の内面１６（図２）の長手方向複数箇所に個別に当接される一対の支柱４８を備える。それら支柱４８は、基部３２の主部分４０の上面４０ａに直立状に配置されるとともに、上面４０ａ上で、後述する可動式取付構造を介して、被着体１２の長手方向に対応する基部３２の長手方向へ、相対的に移動可能に設置される。図４に示すように、各支柱４８には、被着体１２の内面１６の横断方向複数箇所に当接される複数の当接面５０が形成される。図示実施形態では、それら当接面５０は、支柱４８の頂端面４８ａの一部分と、支柱４８の両側面４８ｂに設置される一対の抑え部材５２の先端面５２ａの一部分とから構成される。
【００３１】
支柱４８は、略直方体の壁状部材であり、基部上面４０ａに略直交するその両側面４８ｂ及び前後面４８ｃに、それぞれ鉛直方向へ延びる所望数の溝５４が形成される。支柱４８は、その前後面４８ｃに沿って配置される所望数の取付駒５６により、基部３２の主部分４０に長手方向移動可能に取り付けられる。各取付駒５６は、後述する可動式取付構造を有し、基部主部分４０の上面４０ａに設けた長手方向溝４４及び支柱４８の前後各面４８ｃに設けた鉛直方向溝５４に装着される。各取付駒５６は、可動式取付構造の作用により、基部主部分４０の長手方向溝４４に沿った所望位置に、解除自在に固定される。
【００３２】
支柱４８に設置される各抑え部材５２は、支柱４８の各側面４８ｂから略水平に延長される軸５８の先端に、例えばねじ構造を介して、軸５８の軸線方向へ移動可能に取り付けられる。また、各軸５８は、後述する可動式取付構造を有し、支柱４８の各側面４８ｂに設けた鉛直方向溝５４に装着される。各軸５８は、可動式取付構造の作用により、支柱４８の鉛直方向溝５４に沿った所望位置に、解除自在に固定される。なお、各抑え部材５２は、好ましくはゴム等の弾性を有する材料から作製される。
【００３３】
上記した構成により、支柱４８に設けられる当接面５０（支柱４８の頂端面４８ａ及び両抑え部材５２の先端面５２ａのそれぞれの一部分）は、支柱４８上で、被着体１２の横断方向に対応する基部横断方向、並びに被着体１２の横断方向及び長手方向の双方に交差する基部鉛直方向へ、相対的に移動可能となっている。なお、第１支持部３４は、図示の一対の支柱４８に限らず、被着体１２を安定的に支持できることを条件として、１個又は３個以上の支柱４８を備えることができる。
【００３４】
第２支持部３６は、被着体１２の長手方向両端２０をそれぞれに支持する一対の支持板６０を備える（図１）。それら支持板６０は、基部３２の主部分４０の上面４０ａ上で、後述する可動式取付構造を介して、被着体１２の長手方向に対応する基部３２の長手方向へ、相対的に移動可能に設置される。図５に示すように、各支持板６０は、被着体１２の長手方向両端２０の各々の、外面１８に交差する縁面２０ａ（図２）に当接される載置面６２と、載置面６２に略直交して延び、被着体１２の各縁面２０ａに隣接する外面１８の一部分に当接される抑止面６４とをそれぞれに備える。なお、各支持板６０は、好ましくはゴム等の弾性を有する材料から作製される。
【００３５】
支持板６０は、その抑止面６４の反対側の面に沿って配置される取付駒６６により、基部３２の主部分４０に長手方向移動可能に取り付けられる。取付駒６６は、後述する可動式取付構造を有し、基部主部分４０の上面４０ａに設けた長手方向溝４４に装着されるとともに、例えば接着剤により支持板６０に固定される。取付駒６６は、可動式取付構造の作用により、基部主部分４０の長手方向溝４４に沿った所望位置に、解除自在に固定される。
【００３６】
再び図３を参照すると、上記したフィルム貼付装置１０を好適に適用するために、粘着フィルム１４は、被着体１２の外面１８の中央領域１８ａに沿って長手方向両端２０（図２）の間に配置可能な長尺形状を有するとともに、粘着フィルム１４の長手方向略中央の、横断方向へ互いに離隔した位置に、それぞれに位置決め穴６８を有する一対の補助部分７０が設けられる。図示実施形態では、各補助部分７０は、粘着フィルム組立体３０の一部分として、粘着フィルム１４の領域における積層構造と同一の積層構造を有する（図３（ｃ））。つまり、各補助部分７０は、フィルム基材２２、粘着剤層２４、離型紙２６及び台紙２８を含み、それらの全体を貫通して、位置決め穴６８が形成される。
【００３７】
粘着フィルム組立体３０は、粘着フィルム１４の外縁全体に渡って、フィルム基材２２及び粘着剤層２４の余剰部分２２´、２４´を有する。これら余剰部分２２´、２４´は、後述するフィルム貼付工程において、離型紙２６又は台紙２８と共に、粘着フィルム１４から分離され、廃棄される。また、離型紙２６は、上記した一対の補助部分７０の間の小領域２６´が、後述するフィルム貼付工程において、最初に他の部分から分離されるようになっている。これら余剰部分２２´、２４´及び小領域２６´と、対応する層の他の部分との間には、両者の分離を容易にするために、予めミシン目等の弱化領域が設けられる。
【００３８】
上記構成を有する粘着フィルム組立体３０に対し、フィルム貼付装置１０は、位置決め部３８として、一対の補助部分７０の位置決め穴６８にそれぞれ嵌入される一対の位置決めピン７２を備える（図１）。それら位置決めピン７２は、基部３２の副部分４２の上面４２ａに直立状に配置されるとともに、上面４２ａ上で、後述する可動式取付構造を介して、被着体１２の横断方向に対応する基部３２の横断方向へ、相対的に移動可能に設置される。図６に示すように、各位置決めピン７２には、その先端に、粘着フィルム組立体３０の各補助部分７０の位置決め穴６８にそれぞれ密に嵌入される小径部分７２ａが形成される。
【００３９】
位置決めピン７２は、略円柱状部材であり、その基端に固定される取付駒７４により、基部３２の副部分４２に横断方向移動可能に取り付けられる。取付駒７４は、後述する可動式取付構造を有し、基部副部分４２の上面４２ａに設けた横断方向溝４６に装着される。取付駒７４は、可動式取付構造の作用により、基部副部分４２の横断方向溝４６に沿った所望位置に、解除自在に固定される。
【００４０】
なお、基部３２の副部分４２は、２種類の取付駒７６、７８により、基部３２の主部分４０に長手方向移動可能に取り付けられる。一方の取付駒７６は、後述する可動式取付構造を有し、基部主部分４０の上面４０ａに設けた長手方向溝４４及び基部副部分４２の上面４２ａに設けた横断方向溝４６に装着される。取付駒７６は、可動式取付構造の作用により、基部主部分４０の長手方向溝４４に沿った所望位置に、解除自在に固定される。また、他方の取付駒７８は、後述する可動式取付構造を有し、基部主部分４０の側面４０ａに設けた長手方向溝４４及び基部副部分４２の側面４０ａに設けた横断方向溝４６に装着される。取付駒７８は、可動式取付構造の作用により、基部主部分４０の長手方向溝４４に沿った所望位置に、解除自在に固定される。
【００４１】
フィルム貼付装置１０における上記した各種可動部の可動式取付構造は、いずれも実質的共通の構成を有する。この可動式取付構造の典型的構成を、例として第２支持部３６に設けられる取付駒６６に関連して、図７を参照して説明する。
【００４２】
図示のように、基部３２の長手方向溝４４は、基部上面４０ａに開口する開口部分４４ａと、基部３２の内部で開口部分４４ａよりも拡幅される内奥部分４４ｂとを、全長に渡って備える。溝４４の内奥部分４４ｂには、多角形輪郭を有するナット８０が、隙間を介して収容される。ナット８０は、溝４４の内奥部分４４ｂの長手方向に沿って移動可能である一方、その多角形輪郭の外縁が溝４４の内奥部分４４ｂの内壁に衝突することにより、所定角度以上は回転できないようになっている。
【００４３】
取付駒６６には、ボルト８４を挿通する段付貫通孔８２が形成される。ボルト８４は、その雄ねじ部分８４ａが、取付駒６６の段付貫通孔及び基部３２の溝４４の開口部分４４ａを通されて、溝４４の内奥部分４４ｂに収容されたナット８０に螺着される。取付駒６６は、ナット８０とボルト８４とを互いに緊密に螺着することにより、基部３２上で所望位置に固定され、ナット８０とボルト８４とを互いに緩めることにより、基部３２上で溝４４に沿って移動できる。このような固定／解除操作は、取付駒６６の外側からボルト８４を手作業で駆動することにより実施できる。
【００４４】
上記構成を有するフィルム貼付装置１０を用いて、粘着フィルム１４を被着体１２に貼付するフィルム貼付工程の一例を、図８及び図９を参照して説明する。
まず、フィルム貼付装置１０の基部３２を、テーブル等の好ましくは硬質の平坦支持面に置く。このとき、比較的細長い主部分４０に対し、その両側方に張り出す副部分４２が、平坦支持面上で基部３２を安定させるように作用する。また、準備作業として、第１支持部３４の一対の支柱４８（図１）、第２支持部３６の一対の支持板６０（図１）及び位置決め部３８の一対の位置決めピン７２（図１）を、対象となる被着体１２の形状及び寸法に合わせて、基部３２上で所望位置に固定的に配置しておく。
【００４５】
このフィルム貼付装置１０に対し、被着体１２を、その内面１６（図２）が一対の支柱４８の当接面５０（図４）に当接されるとともに、その長手方向両端２０（図２）が一対の支持板６０の載置面６２及び抑止面６４に当接されるように位置づけて、搭載する。この状態で、被着体１２は、フィルム貼付装置１０に所定姿勢で安定して支持される（図８（ａ））。また、一対の位置決めピン７２は、被着体１２の略中央部位の両側方近傍にそれぞれ配置され、位置決めピン７２の先端の小径部分７２ａが被着体１２の外面１８の最高部位よりも高く突出して配置される。
【００４６】
次に、粘着フィルム組立体３０を、その離型紙２６（図３）を被着体１２の外面１８に対向させた状態で、一対の補助部分７０の位置決め穴６８に、フィルム貼付装置１０の対応の位置決めピン７２の小径部分７２ａを嵌入する。それにより、粘着フィルム組立体３０が、被着体１２の外面１８に対して、予め定めた適正な位置関係の下に、実質的に（つまり「ばたつき」は許容するも位置ずれを生じないように）保持される（図８（ｂ））。
【００４７】
この状態で、粘着フィルム組立体３０の離型紙２６の略中央の小領域２６´を、粘着フィルム１４から剥離する。このとき、小領域２６´に隣接するフィルム基材２２及び粘着剤層２４の余剰部分２２´、２４´の一部分も、一緒に除去される（図８（ｃ））。そこでまず、粘着フィルム組立体３０の、離型紙２６の小領域２６´を剥離した部分を、台紙２８の外面から、スキージやローラ等の手工具８６（図９）を用いて、被着体１２の外面１８に押し付ける。このとき、図８（ｃ）の矢印α方向へ手工具８６を操作することにより、剥離した離型紙小領域２６´に対応する粘着フィルム１４の略中央部分を、その中心から両側縁に向けて漸進的に、粘着剤層２４と被着体外面１８との間の空気を排除しながら、圧力下で確実に貼付することができる。
【００４８】
続いて、剥離した小領域２６´に隣接する離型紙２６の２つの残部を、１つずつ、小領域２６´側の端縁から徐々に剥離すると同時に、粘着フィルム組立体３０の、離型紙残部が徐々に剥離される部分を、台紙２８の外面から、手工具８６（図９）を用いて、被着体１２の外面１８に押し付ける。このとき、図８（ｃ）の矢印β方向へ手工具８６を操作することにより、剥離した離型紙残部に対応する粘着フィルム１４の部分を、長手方向へ漸進的に、粘着剤層２４と被着体外面１８との間の空気を排除しながら、圧力下で確実に貼付することができる。このようにして、全ての離型紙２６を剥離して、粘着フィルム１４を被着体１２の外面１８に貼付し終わった後、台紙２８を除去すれば、粘着フィルム１４を適正に貼付した被着体１２が得られる（図８（ｄ））。
【００４９】
上記した手工具８６を用いた圧着貼付作業の間、被着体１２は、フィルム貼付装置１０の一対の支柱４８及び一対の支持板６０によって、安定して静止状態に支持される。特に、図８（ｃ）の矢印β方向へのフィルム貼付作業が進んで、被着体１２の長手方向一端２０の近傍に貼付圧力が加わるようになると、被着体１２の長手方向他端２０が対応の支持板６０から浮き上がるような挙動を示す惧れがある。しかし、フィルム貼付装置１０によれば、支持板６０の抑止面６４が、被着体１２の外面１８の長手方向他端２０に隣接する部分に当接されて、長手方向他端２０が支持板６０から浮き上がる挙動を、効果的に抑止する。
【００５０】
他方、粘着フィルム１４は、粘着フィルム組立体３０の状態で、一対の位置決めピン７２により、被着体１２に対して適正位置に保持されているから、上記した手工具８６を用いた圧着貼付作業の間、位置ずれを生じることなく、被着体１２に正確に貼付される。この貼付作業は、粘着フィルム１４を手で保持する必要が無いので、手工具８６を用いて容易かつ迅速に行うことができる。なお、粘着フィルム１４に併設される補助部分７０は、粘着フィルム組立体３０の他の部分と同一の積層構造を有しているから、圧着貼付作業に伴う引張力が位置決め穴６８の部分に集中したとしても、容易には破断されない強度を有する。しかし、この構成は必須ではなく、補助部分７０が台紙２８の一部分のみからなる場合にも、フォルム貼付装置１０を有効に使用できる。
【００５１】
このように、フィルム貼付装置１０によれば、粘着フィルム１４の寸法や被着体１２の外面１８の湾曲程度が大きい場合であっても、貼付作業中の被着体１２の移動を、フィルム貼付装置１０自体の機能により積極的に防止した状態で、熟練を要することなく、粘着フィルム１４を被着体外面１８に正確に貼付することができる。また、フィルム貼付装置１０では、第１支持部３４、第２支持部３６及び位置決め部３８を基部３２上で移動可能に構成したから、様々な寸法及び形状を有する被着体１２及び粘着テープ１４に対し、同様に容易かつ正確な貼付作業を実施できる。
【図面の簡単な説明】
【００５２】
【図１】本発明の一実施形態によるフィルム貼付装置の全体構成を示す概略斜視図である。
【図２】図１のフィルム貼付装置を適用可能な被着体の図で、（ａ）斜視図、（ｂ）線ＩＩｂ−ＩＩｂに沿った断面図、及び（ｃ）線ＩＩｃ−ＩＩｃに沿った断面図である。
【図３】図１のフィルム貼付装置を適用可能な粘着フィルムの図で、（ａ）平面図、（ｂ）線ＩＩＩｂ−ＩＩＩｂに沿った断面図、及び（ｃ）線ＩＩＩｃ−ＩＩＩｃに沿った断面図である。
【図４】図１のフィルム貼付装置の第１支持部を構成する支柱の拡大斜視図である。
【図５】図１のフィルム貼付装置の第２支持部を構成する支持板の拡大斜視図である。
【図６】図１のフィルム貼付装置の位置決め部を構成する位置決めピンの拡大斜視図である。
【図７】図１のフィルム貼付装置における可動取付構造の典型的構成を示す断面図である。
【図８】図１のフィルム貼付装置を用いたフィルム貼付工程の作業手順を示す図で、（ａ）被着体支持ステップ、（ｂ）粘着フィルム位置決めステップ、（ｃ）圧着貼付ステップ、及び（ｄ）完成品、をそれぞれ示す。
【図９】図８のステップ（ｃ）を説明するための概略断面図である。
【符号の説明】
【００５３】
１０    フィルム貼付装置
１２    被着体
１４    粘着フィルム
１６    内面
１８    外面
２０    長手方向端
２２    フィルム基材
２４    粘着剤層
３０    粘着テープ組立体
３２    基部
３４    第１支持部
３６    第２支持部
３８    位置決め部
４４、４６    溝
４８    支柱
５０    当接面
５２    抑え部材
５６、６６、７４、７６、７８    取付駒
６０    支持板
６２    載置面
６４    抑止面
６８    位置決め穴
７０    補助部分
７２    位置決めピン
【図１】
2006282712.tif 000003
【図２】
2006282712.tif 000004
【図３】
2006282712.tif 000005
【図４】
2006282712.tif 000006
【図５】
2006282712.tif 000007
【図６】
2006282712.tif 000008
【図７】
2006282712.tif 000009
【図８】
2006282712.tif 000010
【図９】
2006282712.tif 000011